(57)【特許請求の範囲】
【請求項１】
生理食塩水を流動するように１０〜２００Ｈｚの周期と０．０１〜１５ｍｍの振幅振動で振動させながら、直流又はパルス電流により、１〜３０Ｖの電圧と、５〜３００Ａ／ｄｍ２の電流密度で電気分解して得た１〜５００ｐｐｍの残留塩素を含有する中性電解水からなることを特徴とする透析用水溶液。
【請求項２】
血液透析療法としての透析液、又は腹膜透析療法としての透析液として使用することを特徴とする請求項１に記載の透析用水溶液。
【請求項３】
電解質成分、ブドウ糖、アミノ酸を溶解する透析液として使用することを特徴とする請求項１に記載の透析用水溶液。
【請求項４】
アルカリ化剤として炭酸水素ナトリウムを使用する請求項３に記載の透析用水溶液。
【請求項５】
透析液関連回路の清浄に使用することを特徴とする請求項１に記載の透析用水溶液。
【請求項６】
腹膜透析療法における腹膜カテーテルないしカテーテル結合部の消毒液として使用することを特徴とする請求項１に記載の透析用水溶液。
【請求項７】
腹膜透析療法における体腔内、皮下と皮膚の境界部及び皮膚の消毒液として使用することを特徴とする請求項１に記載の透析用水溶液。
【請求項８】
別の生理食塩水と混合してなる請求項６又は７に記載の透析用水溶液。
【発明の詳細な説明】
【技術分野】
【０００１】
本発明は、生理食塩水を、低周波振動攪拌機を備えた電解槽により電気分解して得た中性電解水を使用する透析用水溶液に関する。
【背景技術】
【０００２】
隔膜を有する装置を用いて水を電気分解した場合に、電極部においては水素と酸素が発生することが知られている。この場合、水溶液中においては電気的引力によるイオンの泳動が発生し、その結果隔膜を挟んで、陽極側では酸性物質が生成し、その溶液は酸性溶液となる。一方、陰極側ではアルカリ溶液（還元性溶液）となる。したがって、電解質隔膜を用いて、水を２槽式電解槽、或いは３槽式電解槽で電気分解を行うと、陽極側に酸性水溶液が製造され、陰極側にアルカリ溶液（還元性溶液）が製造される。
【０００３】
これらの電解液は、ｐＨ調整剤、酸化剤、還元剤としての性能を有しており、また機能水として医療、電子産業、農業、食品産業の幅広い分野で使用されてきている。
ところで、かかる電解液は強酸性水または強アルカリ水であり、強酸性水にあってはそのｐＨは２．７以下であり、強アルカリ水にあってはそのｐＨは１１以上である。したがって、これらのｐＨ領域においては細菌、微生物等が生存し得ないものであることから、医療分野においては医療用器材の消毒など、限られた範囲でしか応用性がない。
【０００４】
そのため、電解水を、人体をはじめとする医療分野で幅広く使用し得るためには中性の電解水であって、安全性の確保が求められているが、これまでにあっては、上記のようにして得られた強酸性水及び強アルカリ水の両者を混合して中和し、中性の電解水として使用しているにすぎず、種々の機能を備えた中性の電解水は、直接電気分解することにより得られていないのが現状であった。
【０００５】
このような目的にかなう可能性がある中性電解水としては、特許文献１に記載の中性電解水がある。この中性電解水は、塩を含有する水を、低周波振動攪拌装置を備えた電解槽により電気分解して得た中性電解水であり、種々の機能を備えたものであって、従来の酸性電解水、或いはアルカリ電解水等のいずれの電解水にも勝るものであって、殺菌用、健康飲料用、食品の洗浄用、医療用、化粧用、各種トイレタリー等消毒用の水溶液として使用されている。
【特許文献１】国際公開ＷＯ２００６／０４１００１  Ａ１公報
【０００６】
本発明者等は、この中性電解水の各種機能に着目し、その応用について種々検討してきた。そのなかで、この電気分解に供される水溶液として生理食塩水を用いた場合には、それにより得られた中性電解水が、これまでの中性電解水が所有する種々の機能を保持したまま、きわめて強力な殺菌作用を発揮すること、さらに生理食塩水を用いたことにより生理的に医療用に使用される水溶液として安全性が確保されているものであることを確認した。
その上で、この中性電解水を透析用水溶液と使用した場合には、きわめて効果的なものであることを新規に見出した。
【０００７】
すなわち、生理食塩水を電気分解して得た中性電解水には極めて強力な殺菌作用がある上、中性領域の水溶液であることから、透析用製剤の溶解液として応用した場合には、極めて効果的な透析用液になることを見出した。
更には、かかる中性電解水、或いは別の生理食塩水と混合して得た生理食塩水は、腹膜透析におけるカテーテルないしカテーテル結合部の消毒液、或いは体腔内、皮下と皮膚の境界部及び皮膚の消毒液として極めて効果的なものであり、腹膜透析における腹膜炎の発症を良好に抑えることができることを見出した。
【０００８】
現在、我が国においては約２７万人程度の末期腎不全患者がおり、これらの患者はほぼ毎日、日常的に、或いは継続的に透析療法を受けているが、その透析には体外循環を余儀なくされるため、感染症への危険性と絶えず背中合わせの状態にある。事実、かかる感染症は、日本透析医学会の調査によれば、死亡原因の１９．９％を占め、死因の第二位に位置づけられている。
したがって、感染症への危険性がない透析液が得られれば、感染症という負の要因を回避した透析療法が可能となり、これらの患者に与える光明は多大なものとなる。
本発明者等は生理食塩水を、低周波振動攪拌機を備えた電解槽により電気分解して得た中性電解水がこれらの点を解決するものであることを新規に見出し、本発明を完成させるに至った。
【発明の開示】
【発明が解決しようとする課題】
【０００９】
したがって本発明は、感染症に対する危険性のない透析用水溶液を提供することを目的とする。
より詳細には、感染症に対する危険性のない、血液透析療法としての透析液、又は腹膜透析療法としての透析液として使用することができる透析用水溶液、或いは、透析液関連回路の清浄に使用することができる透析用水溶液、更には腹膜透析におけるカテーテルないしカテーテル結合部の消毒液、或いは体腔内、皮下と皮膚の境界部及び皮膚の消毒液を提供することを課題とする。
【課題を解決するための手段】
【００１０】
かかる課題を解決するための基本的態様に基づく本発明は、生理食塩水を流動するように１０〜２００Ｈｚの周期と０．０１〜１５ｍｍの振幅振動で振動させながら、直流又はパルス電流により、１〜３０Ｖの電圧と、５〜３００Ａ／ｄｍ２の電流密度で電気分解して得た１〜５００ｐｐｍの残留塩素を含有する中性電解水からなることを特徴とする透析用水溶液である。
【００１１】
なかでも本発明は、特に、血液透析療法としての透析液、又は腹膜透析療法としての透析液として使用することを特徴とする上記の透析用水溶液である。
【００１２】
さらに具体的には、本発明は、電解質成分、ブドウ糖、アミノ酸を溶解する透析液として使用することを特徴とする上記の透析用水溶液である。
【００１３】
特に本発明は、アルカリ化剤として炭酸水素ナトリウムのみを使用することを特徴とする上記の透析用水溶液である。
【００１４】
さらに本発明は別の態様として、透析液関連回路の清浄に使用することを特徴とする上記の透析用水溶液である。
【００１５】
また本発明は、腹膜透析療法における腹膜カテーテルないしカテーテル結合部の消毒液として、或いは腹膜透析療法における体腔内、皮下と皮膚の境界部及び皮膚の消毒液として使用することを特徴とする上記の透析用水溶液であり、かかる消毒液は別の生理食塩水と混合して使用してもよい透析用水溶液である。
【００１６】
本発明にあっては、従来の電解水とは異なり、生理食塩水を特異的な低周波振動攪拌機を備えた電解槽により電気分解して得た中性電解水を使用する透析用水溶液であり、その優れた殺菌作用により、きわめて優れた透析用水溶液となる点に、一つの特徴を有するものである。
【発明の効果】
【００１７】
したがって、本発明により、具体的には、以下の効果が発揮される。
１．本発明により提供される透析用水溶液は極めて強力な殺菌作用を発揮することから、透析療法開始前にあっては、透析液関連回路の清浄化に使用することができ、そのため細菌や病原微生物、菌体毒素などの生体内への流入の危惧を払拭することが可能となる利点を有している。
２．本発明により提供される透析用水溶液は、生理食塩水を電気分解して得たものであることから、その残留塩素が段階的に減少することとなり、透析療法開始直前には極めて強力な殺菌効果を維持しつつ、人体には全く無害の濃度までに減少させることができ、従って、この透析用水溶液をそのまま透析液として、ナトリウム、カリウム、カルシウム、マグネシウム、塩素、重炭酸などの電解質成分、ブドウ糖等の糖質、アミノ酸などの栄養源の溶解液として使用した透析液として使用することができる。
３．本発明の透析用水溶液は、透析液のための電解質、アルカリ化剤、ブドウ糖溶解液として使用する場合には、塩化ナトリウム、塩化カリウム、塩化カルシウム、塩化マグネシウムなどの電解質成分を最初に溶解させ、続いて炭酸水素ナトリウムを溶解させるが、この場合にあっても、不溶性の重炭酸塩を形成することなくこれらの電解質成分を溶解させることができ、また、この時点においてもその溶液のｐＨは中性付近に維持されており、ｐＨ調節剤として酸の添加を必要としない利点を有している。
４．本発明の透析用水溶液を透析液関連回路の清浄化に使用する場合、或いは透析液としての溶解液として使用するいずれの場合にあっても、酸の添加を必要としないため、透析回路の配管を腐食させる危険性がない。
５．透析用の溶解液として使用する場合においても、生理食塩水を使用したことから、生体適合性に優れ、安全性の高いものであり、血液透析患者のＱＯＬを損なうことが少ない利点を有している。
６．また、腹膜透析療法における腹膜カテーテルないしカテーテル結合部の消毒液として、或いは腹膜透析療法における体腔内、皮下と皮膚の境界部及び皮膚の消毒液として使用することにより、腹膜透析療法にみられる腹膜炎の発症を抑えることができるものであり、患者にとって極めて多大な光明を与えるものである。
【発明を実施するための最良の形態】
【００１８】
本発明が提供する透析用水溶液は、基本的には、生理食塩水を、低周波振動攪拌機を備えた電解槽により電気分解して得た中性電解水からなる。
かかる中性電解水は、具体的には特許文献１に記載する方法、並びに装置により得られたものであり、詳細には、上記したように、生理食塩水を流動するように１０〜２００Ｈｚの周期と０．０１〜１５ｍｍの振幅振動で振動させながら、直流又はパルス電流により、１〜３０Ｖの電圧と、５〜３００Ａ／ｄｍ２の電流密度で電気分解して得た１〜５００ｐｐｍの残留塩素を含有する中性電解水からなる透析用水溶液である。
この透析用水溶液にあっては、残留塩素濃度が大気中への遊離が全く認められないことを特徴とするものである。
すなわち、イオン化塩素（揮発性塩素ガス）を水分子の固まりの中に閉じこめ、それにより、この透析用水溶液には塩素臭が濃度の割には無く、残留塩素の寿命が３年程度と長いものであると推察される。
【００１９】
なお、本発明においては、透析用水溶液とは、透析自体に使用する水溶液、並びに腹膜透析における腹膜カテーテルないしカテーテル結合部の消毒液、或いは腹膜透析療法における体腔内、皮下と皮膚の境界部及び皮膚の消毒液としての透析用水溶液を意味する。
【００２０】
その調製の具体的手段は特許文献１に詳細に記載されており、本明細書においてはかかる特許文献１における記載を本明細書の一部として取り込むものである。
【００２１】
特許文献１には、具体的には、塩化ナトリウム、塩化カリウム、塩化カルシウムからなる群から選択された少なくとも一種の塩と水を含有する処理水を、低周波振動攪拌機を備えた電解槽により電気分解して得た中性電解水が開示されているが、その場合の塩の含有濃度は０．０５〜１０重量％とされており、生理食塩水を電気分解する考え方はない。
本発明にあってはこの電気分解に供する水溶液として生理食塩水を採用するものであるが、生理食塩水とは一般的に、動物細胞の浸透圧と等張になるように調製した塩化ナトリウム水溶液をいう。ヒトを含む哺乳類の場合には、その食塩の濃度として約０．８〜０．９％程度の食塩水をいう。
【００２２】
本発明の中性電解水にあっては、上記した特許文献１に記載の条件による電気分解を行うことにより、１〜５００ｐｐｍの残留塩素を含有する中性電解水が調製される。
かかる残留塩素の存在により、中性電解水は極めて強力な殺菌作用を発揮するが、本発明の透析用水溶液にあっては、２０ｐｐｍ程度の残留塩素を含有させれば、ほぼ完全な殺菌効果を発揮することができる。
残留塩素濃度が１〜５ｐｐｍの場合でも殺菌効果を発揮し、且つ人体にとっては、無害な濃度となることが判明した。
なお、５ｐｐｍまでの残留塩素を含有する中性電解水については、全体として含有塩化ナトリウム濃度を０．９％（９ｇ／Ｌ）に調整した食塩水、すなわち生理食塩水を使用するのがよい。
このような溶液は、適宜中性電解水を別の生理食塩水と混合し得ることも可能である。
【００２３】
今日における医療用の溶液においての基本は、０．９％の塩化ナトリウムを含有した溶液であり、最も安全な溶液として取り扱われ、生理食塩水と称されている。この生理食塩水はそれ自体では抗菌・殺菌作用はなく、無菌的に維持された液が使用されている。したがって、生理食塩水に抗菌剤或いは殺菌剤を含有させたものが消毒用或いは殺菌用に使用されるのが現状である。
しかしながら、上記で調製された中性電解水は、そのままで極めて強力な殺菌作用を示し（後記する実施例を参照）、かかる殺菌作用のため、透析関連回路の清浄化に使用することができ、また他の応用として、消毒用の水溶液、或いはスプレー式消毒液としての応用も可能であることが判明した。
なお、このほかにも種々の応用が考えられており、これらは特許文献１に具体的に記載されているが、透析用水溶液としての応用は、本発明者によってはじめて提案されたものである。
【００２４】
したがって、上記したように、本発明が提供する透析用水溶液は、その一つの態様として、人工腎臓のなかの透析液関連回路を無菌的に浄化する清浄化液として使用することができる。
通常、透析液としては蒸留水、精製水、逆浸透水が基本液として使用され、清浄化液は、熱水以外は消毒液として市販されているものが利用されている。この場合の熱水としては水道水などを使用している。
【００２５】
本発明の透析用水溶液により浄化される透析用関連回路とは、透析液の原点となる水道水の流入口に始まって、貯水槽、逆浸透装置から人工腎臓装置のなかの透析液回路、更には、透析器、濾過器に至る全ての部分を指す。通常これらの殺菌消毒、清浄化のためには次亜塩素酸、過酢酸、クエン酸、熱水（煮沸水）などが使用されている。したがって、次亜塩素酸、過酢酸、クエン酸などの有機酸が使用された場合には、通常これらの液は苛性ソーダ水などによって酸を中和した後、廃棄されている。そのため、中和剤添加装置などの無毒化装置を必要とする。これらの酸或いはアルカリは、それ自体で毒性が強く、生体への悪影響が危惧される。本発明の透析用水溶液にはそのような危険性がない利点を有している。
【００２６】
なお、透析関連回路を浄化する場合に、最も高い残留濃度である５００ｐｐｍ以上にまで上げると、殺菌・抗菌効果はさらに高まるが、誤って生体に接触した場合には生命を脅かす危険性が高くなる。しかしながら、この高濃度の残留塩素を含有する中性電解水により一定時間の浄化を行った後、低濃度の残留塩素を含有する中性電解水に切り替えることにより、かかる危険性を回避することが可能となる。
【００２７】
以上のように、本発明の中性電解水を透析液関連回路の滅菌・消毒、清浄化に使用することにより、透析関連回路の清浄化の目的を達成することが可能となる。
【００２８】
一方、本発明により調製された中性電解水は、別の態様として、血液透析或いは、腹膜透析療法に使用される透析液自体として使用することができる。かかる透析液としては、例えば、中性電解水にナトリウム、カリウム、カルシウム、マグネシウム、塩素、炭酸水素ナトリウム、ブドウ糖、アミノ酸等を溶解、含有させた水溶液であり、そのｐＨとして中性付近のｐＨを有する透析液である。
【００２９】
具体的には、血液透析患者或いは腹膜透析患者の電解質バランスを正常範囲に維持することを目的とし、陽イオンとして、ナトリウムイオン８０〜２００ｍＥｑ／Ｌ、カリウムイオン０〜６ｍＥｑ／Ｌ、カルシウムイオン０．５〜５ｍＥｑ／Ｌ、マグネシウムイオン０．１〜２．０ｍＥｑ／Ｌ；陰イオンとして塩素イオン８０〜２００ｍＥｑ／Ｌ、重炭酸イオン２５〜３５ｍＥｑ／Ｌを含有する透析液であることが好ましい。
【００３０】
アルカリ化剤としては、本発明にあっては中性電解水を使用することから、炭酸水素ナトリウムを使用し、これ以外のアルカリ化剤を使用する必要はない。
上記の電解質バランスを構成する電解質成分としては、好ましくは、塩化ナトリウム、塩化カルシウム、塩化マグネシウム等が使用される。
またブドウ糖としては５０〜２００ｍｇ／ｄＬを含有するのがよい。
さらにアミノ酸としては、各種必須アミノ酸を含めた種々のアミノ酸が上げられ、トータルアミノ酸濃度として１〜７．５ｗ／ｖ％含有させるのが好ましい。
【００３１】
透析液は、通常、塩化ナトリウム、塩化カリウム、塩化マグネシウム、炭酸水素ナトリウム、ブドウ糖以外に、酢酸、氷酢酸、乳酸、クエン酸などが添加されている。なお、アミノ酸は、添加されている場合と添加されない場合とがある。
【００３２】
血液透析は、腎機能を失った急性及び慢性腎不全患者が透析器或いは濾過器と呼ばれる人工腎臓の主要構成部分である半透膜を介して血液と透析液とを接触させることにより、体液中の老廃物を透析液中に排泄する手段であり、また更には、種々の体液成分のバランスを確保するために行われる透析である。
そのために使用される透析液は、血液透析療法には不可欠なものであり、一般的に、塩化ナトリウム、塩化カルシウム、塩化マグネシウム等の電解質成分の他に、体液に近似したｐＨを維持するために、アルカリ化剤として乳酸塩、酢酸塩、炭酸塩などが含有されている。また、透析除去による低血糖をさけるため、ブドウ糖も加えられている。
【００３３】
一方、腹膜透析は、腎機能を失った急性及び慢性腎不全患者が、腹膜と呼ばれる半透膜を介して血液と透析液を接触させることにより、体液中の老廃物を透析液中に排泄する手段であり、さらには、種々の体液成分のバランスを確保するために行われる透析である。
そのための透析液は、腹膜透析療法には不可欠なものであり、一般的に、塩化ナトリウム、塩化カルシウム、塩化マグネシウム等の電解質成分の他に、体液に近似したｐＨを維持するために、アルカリ化剤として乳酸塩、酢酸塩、炭酸塩などが含有されている。さらに、体内からの限外濾過による水分除去を回避するため、体液よりも浸透圧を高く保つための浸透圧物質としてのブドウ糖も加えられている。
【００３４】
このような血液透析或いは腹膜透析のいずれにあっても、透析液にはアルカリ化剤の含有を必要とする。このアルカリ化剤としては、現在では炭酸水素ナトリウムが主流となっているが、炭酸水素ナトリウムにより透析液のｐＨは必ずアルカリ側にシフトする。これを中性に戻して維持するために、酢酸、乳酸、クエン酸などの有機酸が添加される。これらの有機酸は、塩化カルシウムが不溶性の炭酸カルシウムを形成する不都合を阻止するという利点も有している。
その一方で、透析液中に含まれる有機酸にあっては、例えば、酢酸は透析低血圧、透析困難症、透析栄養障害などの原因となることが知られている。また、クエン酸は、低カルシウム血症、易出血性の原因となることが知られている。したがって、このような本来的に不必要な酸の含有がなければ、透析液の副作用は皆無となり、患者にとって安定した透析療法が受けられることとなる。
【００３５】
さらに、慢性腎不全の患者のほとんど全員が代謝性アシドーシスを合併している。その補正のために炭酸水素ナトリウムを使用することは最も生理的であるが、透析液に含有させる必要がある塩化カルシウムと反応して不溶性の炭酸カルシウムの沈殿物を生成することが知られており、現実的には酢酸、氷酢酸、クエン酸が加えられている。これはカルシウムをキレートとして存在させることによって溶解度を高めるためのものであるが、本来混入すべきでない物資として位置づけられている。
本発明の中性電化水を透析液として使用する場合には、酢酸、氷酢酸、クエン酸などの有機酸の添加が無くても炭酸カルシウムの沈殿物を生成することなく、塩化ナトリウム、塩化カルシウム、塩化マグネシウム等の電解質成分、炭酸水素ナトリウム、ブドウ糖を含有する透析液の調製が可能となるものである。
【００３６】
酢酸、氷酢酸、クエン酸などの透析液への添加は、アルカリ化剤として添加される炭酸水素ナトリウムによる過補正、すなわちアルカローシスを防ぎ、透析液を中性化することが目的であることより、本発明の中性電解水を使用することにより、これらの酸の添加を行うことなく、アルカリ化剤として炭酸水素ナトリウムのみを使用する透析液とすることが可能となる。
【００３７】
なお、血液透析或いは腹膜透析に使用する透析液にあっては、共にその溶液のｐＨは７．０〜７．５程度であることが好ましい。これまでの透析液にあっては、ｐＨ調節剤として一般的に炭酸水素ナトリウム、水酸化ナトリウム、塩酸、酢酸、氷酢酸、クエン酸単独並びにそれらの混合物が使用されているが、本発明の中性電解水を使用した透析液にあっては、生体にとって最も生理的な炭酸水素ナトリウムのみでそのｐＨを７．０〜７．５程度の範囲に維持することが可能となる利点を有している。
【００３８】
本発明の透析液を調製する方法としては、例えば、以下の具体的な３通りの方法で行うことができる。すなわち、（１）透析液組成である塩化ナトリウム、塩化カリウム、塩化カルシウム、塩化マグネシウム、炭酸水素ナトリウム、ブドウ糖、並びにアミノ酸を粉末化し、中性電解水に溶解させる方法；（２）透析液組成である塩化ナトリウム、塩化カリウム、塩化カルシウム、塩化マグネシウム、ブドウ糖、並びにアミノ酸を中性電解水に溶解して貯蔵する。同時に炭酸水素ナトリウムを同様に中性電解水に別途溶解させ、溶解後直ちに両者を混合する方法；（３）逆浸透液に透析液組成及び濃度を構成する塩化ナトリウム、塩化カリウム、塩化カルシウム、塩化マグネシウムを加え、その溶液自体を用いて低周波振動攪拌機を備えた電解槽により電気分解し、中性電解水化の処理を施す。得られた処理液にさらにブドウ糖並びにアミノ酸を溶解させる。次いで上記（２）のように別途炭酸水素ナトリウムを中性電解水に溶解させ、溶解後直ちに両者を混合する方法、の３方法である。
【００３９】
なお、これらの方法の選択は、患者、医療スタッフの要望、透析療法実施施設の設備状況により選択することができる。
また、透析液の調製方法は上記の３方法に限定されず、種々の変法があることはいうまでもない。
【００４０】
本発明が提供する透析液にあっては、殺菌作用のある中性電解水を溶解液として使用したものであるが、透析液それ自体に生体に害を及ぼさない程度の殺菌性があれば、実際の血液透析療法が開始された後にあっても、透析液の透析器、濾過器内での病原微生物による偶発的な汚染を阻止することができることとなる。
【００４１】
なお透析液の滅菌化は、中央供給型或いは個人用のいずれの透析液に対しても日常的に行われている逆浸透膜、除菌膜による濾過法を取り入れ、オンラインで組み合わせることも可能である。
【００４２】
また、腹膜透析の欠点は、病原微生物感染による腹膜炎、特にカテーテル結合部における腹膜炎であるが、本発明が提供する透析液にあっては、これらの腹膜透析における腹膜カテーテルないしカテーテル結合部の消毒液、或いは腹膜透析療法における体腔内、皮下と皮膚の境界部及び皮膚の消毒液として使用することにより、腹膜炎の発症を抑えることが可能となる。
なお、この消毒液としての使用に際しては、適宜別の生理食塩水混合し、希釈して使用することができる。
したがって、本発明は、また別の態様として、かかる中性生理食塩水からなる消毒液をも提供するものである。
【００４３】
元来生体のｐHは中性に維持され、浸透圧は２７０〜２８０ｍＯｓｍ／Ｌに維持されている。このような生体への抗菌剤は従来からｐHは酸性あるいはアルカリ性に偏り、浸透圧は低浸透圧側あるいは高浸透圧側に偏っており、皮膚そのものなど外用でのみ臨床適用されているにすぎない。したがって、血管内、体腔内、皮下と皮膚との境界部分についての消毒・殺菌は、抗生物質に頼らざるを得ないのが現状である。
この抗生物質に頼るという現状が菌交代現象を生み、バンコマイシン抵抗性菌株、メチシリン耐性黄色ぶどう球菌の出現にともなう院内感染症の温床になっている。本発明が提供する消毒液は、抗菌性を有した中性生理食塩液なので、生体のあらゆる部分への応用が可能となる利点を有するものである。
【実施例】
【００４４】
以下に本発明を実施例によりさらに詳細に説明するが、本発明はこれらの実施例に限定されるものではない。
【００４５】
実施例１：中性電解水を用いた透析関連回路の清浄化用透析用水溶液の殺菌効果
［試験方法］
トリプチソースソイブロス培地にて増殖培養した大腸菌（E. coli：JCM 1649）、サルモネラ菌（S. enterica：JCM 1652）、緑膿菌（P. aeruginosa：JCM 5516）及び黄色ブドウ球菌（S. aureus：JCM 2413）のそれぞれの菌体を、滅菌蒸留水を用いて遠沈洗浄後、滅菌蒸留水に再懸濁して菌懸濁液を調製した。
各菌体について、上記で調製した菌懸濁液０．４ｍＬずつを滅菌蒸留水３９．６ｍＬ、及び本発明の透析液である中性電解水（以下、「αトリノ−ＳＴ水」と記載する；残留塩素濃度５ｐｐｍ）３９．６ｍＬにそれぞれ添加し、攪拌した。滅菌蒸留水中の生菌数は、滅菌リン酸緩衝生理食塩水を用いて段階希釈を行い、またαトリノ−ＳＴ水中の生菌数は一定時間静置処理した後希釈せずに処理原液として直ちにトリプチソースソイ寒天培地を用いた平板希釈法（３５℃、４８時間、好気培養）により測定した。
【００４６】
［結果］
下記表１にまとめて示した。
表中に示した結果からの明らかなように、αトリノ−ＳＴ水を用いた場合には、生菌数はいずれも３０個／ｍＬ以下、すなわち測定感度以下に減少していた。
また、備考欄に「注１」として記載したが、本液１ｍＬを用いた測定（２連）において、コロニー形成は確認できなかった。
【００４７】
【表１】
0005405736.tif 000002
【００４８】
実施例２：電解質成分／ブドウ糖の溶解性試験
αトリノ−ＳＴ水（残留塩素濃度：３ｐｐｍ）１Ｌに、塩化ナトリウム６．２５ｇ、塩化カリウム０．１８ｇ、塩化カルシウム二水和物０．３７ｇ、塩化マグネシウム六水和物０．３４ｇ及びブドウ糖２００ｇを加えて溶解を確認した後、さらに炭酸水素ナトリウム２．５２ｇを加え溶解後、浮遊反応物の生成の有無を目視により観察した。
対象液としてイオン交換水１Ｌにそれぞれ同じ成分を溶解させ、溶解後、浮遊反応物、沈殿物の生成の有無を目視により観察した。
また、何も溶解させないイオン交換水を用意した。
その結果、下記表２に示すように、αトリノ−ＳＴ水に各成分を溶解した溶液では浮遊反応物、沈殿物の生成は認められなかったが、イオン交換水にあっては、混和後まもなく反応性の浮遊物及び沈殿物の生成が認められた。
なお、何も溶解させないイオン交換水には何らの変化も認められなかった。
【００４９】
【表２】
0005405736.tif 000003
【００５０】
実施例３：電解質成分／ブドウ糖の含有透析液のｐＨと浸透圧試験
αトリノ−ＳＴ水（残留塩素濃度：３ｐｐｍ、５ｐｐｍ、７ｐｐｍ及び１０ｐｐｍの４液）１Ｌに、塩化ナトリウム６．２５ｇ、塩化カリウム０．１８ｇ、塩化カルシウム二水和物０．３７ｇ、塩化マグネシウム六水和物０．３４ｇ及びブドウ糖１．２６ｇ、炭酸水素ナトリウム２．５２ｇを加え溶解した透析液を調製した。
一方、対照透析液として蒸留水に同様の透析液成分を溶解させた。
各試験液のｐＨと浸透圧を堀場社製ｐＨメーター、プレシジョンシステムズ社製透析液メーターにて測定した。
それらの結果を、下記表３に示した。
【００５１】
【表３】
0005405736.tif 000004
【００５２】
表中の結果か判明するように、本発明のαトリノ−ＳＴ水にあっては、安定したｐＨを示し、浸透圧も良好なものであった。
【００５３】
実施例４：中性電解水を用いた電解質成分／ブドウ糖の含有透析液の抗菌試験
［方法］
αトリノ−ＳＴ水（残留塩素濃度：３ｐｐｍ及び５ｐｐｍの２溶液）１Ｌに、塩化ナトリウム６．２５ｇ、塩化カリウム０．１８ｇ、塩化カルシウム二水和物０．３７ｇ、塩化マグネシウム六水和物０．３４ｇ及びブドウ糖１．２６ｇ、及び炭酸水素ナトリウム２．５２ｇを加え溶解した透析液を調製した。
一方、対照透析液として蒸留水に同様の透析液成分を溶解させた。
各試験液を、体重２００〜２３２ｇの雄性ラットに腹腔内注射をした。腹腔内注射は連続６日間行い、第４日目或いは第７日目に腹腔液を採取し、センシメディア（登録商標：ニプロ社製）にて細菌の繁殖状況を観察した、
また、ラットの全般状態を体重変化により推察し、臨床病態の代用とした。
なお、７日目には腹腔内注射は行わず、腹腔内液の採取のみとしている。
【００５４】
［結果］
１．細菌繁殖状況の観察
対照透析液である蒸留水を用いた透析液にあっては、腹腔内液にコロニーの形成が認められ、顕著な細菌の繁殖が観察された。
これに対して、本発明のαトリノ−ＳＴ水（残留塩素濃度：３ｐｐｍ及び５ｐｐｍの２溶液）を用いた透析液にあっては、いずれも細菌の繁殖を示すコロニー形成は認められず、良好な抗菌作用を示していることが観察された。
【００５５】
２．体重への影響
体重変化を下記表４に示した。
【００５６】
【表４】
0005405736.tif 000005
【００５７】
表中に示した結果からも判明するように、細菌感染が認められた蒸留水を用いた透析液を腹腔内注射したラットでは体重の減少傾向が認められ、且つ注射後７日目には全例で死亡が確認され、病態の悪化及び感染症が死因と推定された。
一方、本発明のαトリノ−ＳＴ水を用いた透析液を腹腔内注射したラットにおいてはラットの体重は増加し、ラットの健康が維持されているものと推定された。すなわち、本発明のαトリノ−ＳＴ水を用いることにより、透析液の調製にクエン酸、酢酸、乳酸等を含有させる必要がないため、これらによる副作用（低血圧、心筋抑制、蛋白異化、貧血、出血傾向、低カルシウム血症など）の出現を防止できただけでなく、その優れた殺菌作用により感染症の発生を予防しているため、ラットの全身状態を良好に維持できたものと思われる。
【００５８】
以上の結果から判断すると、本発明の中性電解水を基本液（溶解液）とする透析液は、残留塩素による優れた殺菌効果を示していることが判明し、透析関連回路の清浄化液としても応用できるものと判断された。
また、塩化カルシウムを不溶性の炭酸カルシウムを生成することなく溶存させることができ、透析液のｐＨを有機酸に頼ることなく中性に維持しており、優れた透析液を提供できるものと判断された。
【００５９】
実施例５：中性電解水を用いた慢性腎不全ラットに対する腎不全進行抑制効果
［方法］
（１）実験動物とその飼育
実験動物には、平均１００ｇの５週齢雄性ＳＤ（Sprague-Dawley）系ラット（日本クレア）を用いた。飼料（CE-2、日本クレア）及び水は自由摂取とし、室温２３℃、湿度５５±５％で１２時間の明暗周期（明期７〜１９時）の空調動物室にて飼育した。ラットは飼育開始後２週目に５／６腎摘手術を行い、その４週間後に群分けを行い、４週間の介入実験実施後に解剖した。
【００６０】
（２）５／６腎摘ラットの作成
ラットをソムノペンチル０．５ｍＬ／１００ｇ（共立製薬株社製）麻酔下に、腹部正中線より開腹し、左腎動脈上、中、下枝のうち上下枝２本に対し、７−０針付きプローリン糸（ETHICON：Ｊ＆Ｊ社製）を用いて結紮した。次いで、右腎動脈全体を５−０針付き絹糸（ETHICON）を用いて結紮後、右腎を全摘して、腹筋を５−０針付き絹糸（ETHICON）、皮膚を４−０針付きバイクリル糸（ETHICON）にて縫合した。
【００６１】
（３）実験方法
５／６腎摘手術後４週目のラット１７匹をコントロール群（ｎ＝８）、本発明のαトリノ−ＳＴ水群（残留塩素濃度：３ｐｐｍ溶液）（ｎ＝９）の２群に分けた。
粉末飼料（タンパク質：２４．９ｇ／１００ｇ；エネルギー：３４６．８ｋｃａｌ／１００ｇ、CE-2、日本クレア）、飲用水は水道水を与えた。全ラットを同じ飼育条件で４週間維持した後、コントロール群はこれらの条件を継続し、αトリノ−ＳＴ水群は水道水からαトリノ−ＳＴ水に変更し、介入開始とした。
なお、本実験に使用したαトリノ−ＳＴ水は、０．２％塩化ナトリウム水溶液の処理液である。
粉末飼料、飲用水の摂取方法は、いずれの時期も自由摂取とした。なお、群分けは５／６腎摘手術後４週目における尿蛋白、尿量、収縮期血圧、５／６腎摘手術時の腎不全の程度をもとに、各群均等になるように行った。
【００６２】
（４）測定項目
５／６腎摘手術前を０Ｗとし、５／６腎摘手術後４週間後を４Ｗ、５／６腎摘手術後８週間後（介入開始４週間後）を８Ｗとし、それぞれ０、４、８Ｗに体重、収縮期血圧測定、採血、２４時間蓄尿を行った。
収縮期血圧は、無麻酔下でTail cuff法にて測定し、平均値を求めた。採血は、０及び４Ｗはエーテル麻酔下に大腿部静脈より、８Ｗは解剖時に腎動脈より行い、その一部を用いてヘマトクリットを測定し、残りを遠心分離後、血清のみを採取し−２０℃にて保存した。２４時間蓄尿は、代謝ゲージを用いて行い、採取した尿は遠心分離し、上澄みを−２０℃で保存した。
【００６３】
（５）腎糸球体硬化指数
８週目に屠殺し、左残腎を取り出し、４%PFA/PBSにて固定し、パラフィン包埋後３μｍの厚さの切片を作製し、periodic acid shiff（PAS）染色を行い、４００倍の光学顕微鏡にて観察した。
各糸球体硬化の程度を、以下の５段階での評価点で行い、全糸球体の平均を計算しＳＩとした。
０：半定量的に硬化のないもの
１：硬化の程度が２５％以下のもの
２：硬化の程度が２６〜５０％のもの
３：硬化の程度が５１〜７５％のもの
４：硬化の程度が７６％以上のもの
【００６４】
［結果ならびに考察］
まず、下記の表５〜７に示すように、コントロール群、αトリノ−ＳＴ水群の２群に分けた時点、すなわち、実験週第４週の体重、血圧、尿量、クレチニンクリアランスは同程度であり、この２群がほぼ同程度の慢性腎不全になっていることがあらかじめ確認されている。尿素窒素値はαトリノ−ＳＴ水群で若干、高めであった。
次に、このような条件下に慢性腎不全モデルのコントロール群、αトリノ−ＳＴ水群の比較実験が遂行された。その結果、表の実験週第８週に示すように、体重はαトリノ−ＳＴ水群が456.4±23.0ｇと順調な生育を示し、コントロール群と比較して血圧は148.5±19.8mmHgとより低く維持され、尿量は36.2±8.2mLと多く、尿素窒素値は、49.40±6.22mg/dLと低く、クレチニンクリアランスは0.31±0.21ml/minと高く、腎糸球体硬化指数は50〜75％、76％以上硬化が16.68、12.31と低く維持されていた。
すなわち、αトリノ−ＳＴ水群の腎不全ラットはαトリノ−ＳＴを飲用していいないラットと比較して腎障害が軽度に留まっているものと判断された。
結論的にはαトリノ−ＳＴは組織障害の軽減あるいは機能回復をもたらす作用があると推察された。
【００６５】
【表５】
0005405736.tif 000006
【００６６】
【表６】
0005405736.tif 000007
【００６７】
【表７】
0005405736.tif 000008
【００６８】
ところで、体内の塩素イオン総量は約４０ｍＥｑ／ｋｇであり、そのうち約７５％は細胞外液中に、残りの約２５％は細胞内液や骨組織中に分布している。すなわち、細胞外液については、９６〜１０８ｍＥｑの範囲内に保たれている。また、炭酸イオンとともに細胞外液の主要な陰イオンである。
そのバランスはＮａ代謝や酸塩基平衡により維持されている。それにもかかわらず、その生理的な役割は未だ、解明されていないのが現状である。
今回の成績は、後記する実施例６として述べるストレプトゾトシン（STZ）糖尿病ラットの実験デ−タと同様、１０〜２００Ｈｚの周期と０．０１〜１５ｍｍの振幅振動で振動させながら、直流又はパルス電流により、１〜３０Ｖの電圧と、５〜３００Ａ／ｄｍ２の電流密度で電気分解して得た中性電解水に溶存した１〜５ｐｐｍの残留塩素であれば、これまでの概念を打ち破る作用を有している可能性を示唆したものといえる。
【００６９】
次に、本発明のαトリノ−ＳＴ水を用いた臨床試験例の実際を記載し、その有効性を証明する。なお、臨床試験に先立っては、十分なインフォームドコンセントを実施し、臨床試験実施への了解を得ている。
【００７０】
臨床例：
腹膜カテーテルの出口部ならびにトンネル部感染症を合併したＣＡＰＤ（持続的携帯型腹膜透析）患者への塩化ナトリウム濃度０．９％の生理食塩液αトリノ−ＳＴ水（以後、『生食ＳＴ』と記載する）使用成績をまとめる。
５名に使用し、全例が有効と判断された。そのいくつかを以下に概説する。
【００７１】
第１例：男性（昭和５年生まれ）
多発嚢胞腎による慢性腎臓病にてＣＡＰＤを開始した。
出口部周囲の発赤、掻痒感が認められ、出口部感染症と診断された。直ちに、ステリハイド消毒液にて出口部消毒を行い、併せて自己消毒を行って貰った。
１ヶ月経過しても出口部感染症は治癒傾向が見られず、むしろ、一部、自壊した表面に膿性分泌物を伴う不良肉芽を認めるようになった。このため、不良肉芽を全て切除し、ゲンタシン（抗生物質）軟膏を塗布しかつ、ヨードホルムガーゼにて被覆した。これらの効力が消失するとおもわれる３日からは毎日、自宅にてステリハイド消毒液による出口部の自己消毒を行って貰った。
１週間後において、出口部感染部位の発赤は軽減するも、不良肉芽は再発し、易出血性で、膿性の分泌物も認められるため、当該部の消毒を『生食ＳＴ』に変更した。
１週間後の来院を申し渡していたが、３週間後に来院した。この理由として、『生食ＳＴ』を使用し始めて発赤、掻痒が完全に消失したため自己判断してこの間に来院しなかったとのことであった。但し、テフロン（登録商標）製鈍針のついた注射筒に『生食ＳＴ』を２０ｍＬ程度入れ、出口部およびカテーテル周囲皮下を自己洗浄していたとのことであった。実際、当日は不良肉芽、発赤も認められず、ほぼ健常皮膚の外見と判断された。
そこで、診療費請求の事情もあり、従来からのステリハイド消毒液による出口部の自己消毒に切り替えた。
１ヶ月半後に定期来院した。この間、時に、腹膜カテーテルの出口部の発赤、掻痒を感じるときがあるが、その時は『生食ＳＴ』で自己洗浄するとのことであり、洗浄して１２時間程度で軽快するとのことであった。
【００７２】
第２例：男性（昭和９年生まれ）
腎硬化症による慢性腎臓病にてＣＡＰＤが導入された。
ＣＡＰＤ腹膜炎を合併し、１ヶ月間入院した。腹膜排液からはStreptococccuas vestibularis, salivariusが検出されたが、これらは抗生物質使用でおさまっていた。
腹膜カテーテルの出口部からカテーテル第２カフまでの皮下カテーテルトンネル部の５ｃｍ強にわたって疼痛を訴え、腹膜カテーテル出口部兼トンネル部感染症と診断された。出口部からは排膿を認め、培養にてCandida albicansなどの真菌が（＋＋）と強陽性に検出された。ミノマイシンなどの抗生物質が使用された。
その後、腹膜カテーテル出口部からの分泌物の培養からはCandida albicans以外にもCorynebacterium Sp（＋＋）、Gram positive coccus（＋）が検出された。第２カフ直上のトンネル部の圧痛は著明であった。ジフルカンも併用された。従来からのステリハイド消毒に加え、塩素ガス添加の炭酸液による洗浄消毒も実施されたが、しかし、軽快傾向にはなく、常に出口部からは分泌物が認められた。
８ヶ月後に腹膜カテーテル出口部兼トンネル部感染症は再発し、腹膜カテーテルの出口部からカテーテル第２カフまでの皮下カテーテルトンネル部の前回より強くかつ広範囲に疼痛を訴えた。
腹膜カテーテル出口部からの分泌物の培養からはStaphylococcus lugdunosis （＋＋）が出され、クラビット２００ｍｇ（経口）、ロセフィン１ｇ（経静脈）が５日間、使用され、更にはCandida albicans（＋＋）も認められた。腹膜カテーテル出口部の洗浄消毒はステリハイド液が用いられ、真菌症に対してジフルカン１００ｍｇの点滴静注も開始された。
その後、トンネル部の圧痛は、軽減傾向はあっても消失には至らず、抗生物質はバンコマイシン１ｇの使用へと進んだ。なお、ジフルカン１００ｍｇの点滴静注も継続された。
しかし、依然、Candida albicans（＋＋）に検出されるため、消毒液は『生食ＳＴ』に切り替えた。また、皮下トンネル部内を第二カフ近傍までテフロン（登録商標）製の鈍針を挿入するとともに、本剤が生理食塩液を基本としていることを応用して、皮下カテーテル周辺に２００ｍＬの液量で圧入洗浄した。
皮下トンネル部の圧痛は軽減傾向が見られ、第２カフ直上に限局的となった。そこで、全ての抗生物質は使用中止とし、『生食ＳＴ』を容れたボトル５００ｍＬを本人渡しとして、連日自己洗浄していただいた。それまで連日の自己洗浄に使用していたステリハイドも中止とした。この時点で炎症の指標であるＣＲＰは０．１から０．２２に僅かながら上昇していた。
その後、出口部からの分泌物は全く認められなくなり、トンネル部上層の圧痛は更に限局的となった。
『生食ＳＴ』による洗浄は中止し、出口部の『生食ＳＴ』による消毒のみとして現在に至っている。ＣＲＰは０．０８と、更に低下していた。
【００７３】
第３例：女性（昭和２０年生まれ）
慢性糸球体腎炎による慢性腎臓病にてＣＡＰＤ療法を開始した。
６ヶ月後、腹膜カテ−テル出口部感染症として紹介されてきた。Staphylococcua epidermidisを（＋＋）に認め、バンコマイシン０．５ｇの点滴静脈注射、バクトロバンの塗布が開始された。
その結果、腹膜カテーテル出口部からの排膿は認められなくなっているが、依然、漿液性の分泌物の交換ガーゼへの付着は観察された。付着物からはNeisseria mucosa、Alcligenes xylosoxidase、Staphylococcus caraeが検出された。このため、クロールヘキシジン１００ｍＬ、０．０５％ステリクロンＷ １００ｍＬによる洗浄が開始され、抗生剤はメロペン１ｇ、バクタ２Ｔ内服に変更された。
上記治療が続けられていたが、漿液性の分泌物の排出も変わりなく認められた。このため、『生食ＳＴ』１００ｍＬによるカテーテル出口部からトンネル部にいたる皮下部分の洗浄を行った。抗生剤の注射は中止とし、化学療法剤の内服も中止とした。
その結果、カテーテル出口部からの、漿液性分泌物の排出は認められなくなり、転院した。
【００７４】
上記の臨床例は、一部の臨床例を示したものであるが、腹膜カテーテルの出口部ならびにトンネル部感染症を合併したＣＡＰＤ患者への『生食ＳＴ』の使用は、他の例を含め、全例が有効と判断されている。
【００７５】
本発明が提供する中性電解水（αトリノ−ＳＴ水）には、動物実験により、その他種々の優れた作用が認められている。
参考のために、それらの点を記載する。
【００７６】
実施例６：ストレプトゾトシン（STZ）糖尿病ラットに対するαトリノーＳＴ水による血糖上昇抑制効果
（１）糖尿病モデル動物の作成
Iar：Long-Evansラット（体重：１８０〜２００ｇ）にストレプトゾトシン（STZ）６５ｍｇ／ｋｇを投与液量１ｍＬ／体重ｋｇにて尾静脈経由にて１回静脈内投与し、糖尿病モデル（ｎ＝10）を作成した。
（２）方法
粉末飼料（タンパク質：２４．９ｇ／１００ｇ；エネルギー：３４６．８ｋｃａｌ／１００ｇ、CE-2、日本クレア）、飲用水は水道水の摂取方法は、実験終了まで自由摂取とした。
対照群は実験終了までこれを継続し、αトリノ−ＳＴ水（０．２％塩化ナトリウム水溶液からの処理水）群は、実験モデル作成２週目から当該αトリノ−ＳＴ水に変更し４週目（実験はここで終了）まで継続した。
投与後１週間目、２週間目に尾静脈より採血し、血糖を測定した。血糖値の測定にはグルコカードおよびダイアセンサー（サノフィ・アベンティス社製）を使用した。
【００７７】
（３）結果と考察
ＳＴＺ投与後１週間で、401.7±54.2mg/dLと高血糖が確認できたため、対照群（ｎ＝５）とαトリノ−ＳＴ水群（ｎ＝５）に分けた。
群分け後の血糖は、対照群が348.5±180.2mg/dL、αトリノ−ＳＴ水群が385.4±39.9mg/dLと両群にほとんど差が無く、αトリノ−ＳＴ水群で若干高値であることを確認した。
これらに対して、介入実験後は、対照群は２週後（実験開始４週後）538.8±81.35mg/dL、αトリノ−ＳＴ水群は405.2±24.1mg/dLと、αトリノ−ＳＴ水群の血糖は対照群と比較して有意に低値であり、介入開始時点２週目と殆ど同程度の値に留まっていた。
このことから、本発明のαトリノ−ＳＴ水には、ストレプトゾトシンによる膵臓障害の進展を抑制し、さらには組織の回復作用があるものと推察した。
【産業上の利用可能性】
【００７８】
以上記載のように、本発明は、生理食塩水を、低周波振動攪拌機を備えた電解槽により電気分解して得た中性電解水を使用する透析用水溶液を提供するものであり、これにより以下に記載される、優れた効果を発揮しうるものであり、その医療上の貢献度は多大なものである。
（１）透析療法なしには生命の存続が困難な末期慢性腎不全患者に、無菌的、かつ細菌や病原微生物、菌体毒素などの菌体成分を含まない透析液を提供することができる。
（２）一切の生体にとって不都合な物質を含まない、中性透析液を慢性腎不全患者に提供できる。
（３）簡便で安価に調製される中性電解水を溶解液とする透析液を提供できることから、医療従事スタッフの要望に応じた透析液を容易に調製し得ることができ、また残留塩素の濃度の異なる中性電解水を完全自動化で調製できる点で、医療従事スタッフの労力を軽減できる。
（４）抗菌的な生理食塩水を提供できることから、幅広い応用性のある中性電解水が提供できる。